(57)【特許請求の範囲】
【請求項１】
複数本のデータ線、複数本の走査線及び複数の画素群を含む液晶表示パネルであって、
各画素群は、それぞれ一つの第１画素及び一つの第２画素を有し、
画素の行ごとには、一本の走査線が対応して設けられ、
画素の列ごとには、一本のデータ線が対応して設けられ、
前記第１画素は、第１薄膜トランジスタ、第１充電コンデンサ、第２充電コンデンサ、第１蓄積コンデンサ及び第１液晶コンデンサを含み、
前記第１薄膜トランジスタのゲートは、対応する走査線に接続され、
前記第１薄膜トランジスタのソースは、対応するデータ線に接続され、
前記第１充電コンデンサの一端は、前記第１薄膜トランジスタのドレインに接続され、
前記第１充電コンデンサの他端は、前記第２充電コンデンサの一端に接続され、前記第２充電コンデンサの他端は、アレイ基板側の共通電極に接続され、
前記第１蓄積コンデンサ及び前記第１液晶コンデンサの一端は、前記第１薄膜トランジスタのドレインに接続され、前記第１蓄積コンデンサの他端は、前記アレイ基板側の共通電極に接続され、前記第１液晶コンデンサの他端は、カラーフィルム基板側の共通電極に接続され、
前記第２画素は、第２薄膜トランジスタ、第２蓄積コンデンサ及び第２液晶コンデンサを含み、
前記第２薄膜トランジスタのゲートは、対応する走査線に接続され、
前記第２薄膜トランジスタのソースは、対応するデータ線に接続され、
前記第２薄膜トランジスタのドレインは、前記第１充電コンデンサの他端に接続され、
前記第２蓄積コンデンサ及び前記第２液晶コンデンサの一端は、前記第２薄膜トランジスタのドレインに接続され、前記第２蓄積コンデンサの他端は、前記アレイ基板側の共通電極に接続され、前記第２液晶コンデンサの他端は、前記カラーフィルム基板側の共通電極に接続され、
前記第１画素の輝度は、前記第２画素の輝度よりも大きい、液晶表示パネル。
【請求項２】
前記第１画素及び前記第２画素は、行単位で交互に設けられる、請求項１に記載の液晶表示パネル。
【請求項３】
前記第１画素及び前記第２画素は、交差するように設けられる、請求項１に記載の液晶表示パネル。
【請求項４】
前記第１画素は、第２ｋ＋１列の第ｎ行又は第２ｋ列の第ｎ＋１行に位置し、
前記第２画素は、第２ｋ＋１列の第ｎ＋１行又は第２ｋ列の第ｎ行に位置し、
液晶表示パネルは、Ｎ行の画素を含み、０＜ｎ＜Ｎ、Ｎ≧２、ｋ≧０である、請求項３に記載の液晶表示パネル。
【請求項５】
前記液晶表示パネルは、第１領域及び第２領域を含み、
前記第１領域における前記第１画素及び前記第２領域における第２画素は、同じ行に位置し、
前記第１領域における前記第２画素及び前記第２領域における第１画素は、同じ行に位置し、
前記第１領域に位置する前記第１画素及び前記第１領域に位置する前記第２画素は、行単位で交互に設けられ、
前記第２領域に位置する前記第１画素及び前記第２領域に位置する前記第２画素は、行単位で交互に設けられる、請求項１に記載の液晶表示パネル。
【請求項６】
前記第１領域の面積は、前記第２領域の面積に等しい、請求項５に記載の液晶表示パネル。
【請求項７】
前記液晶表示パネルは、二つの第１領域と、二つの前記第１領域の間に位置する第２領域と、を含む、請求項５に記載の液晶表示パネル。
【請求項８】
二つの前記第１領域の面積の合計は、前記第２領域の面積に等しい、請求項７に記載の液晶表示パネル。
【請求項９】
バックライトモジュールと、
複数本のデータ線、複数本の走査線及び複数の画素群を含む液晶表示パネルと、を含む液晶表示装置であって、
各画素群は、それぞれ一つの第１画素及び一つの第２画素を有し、
画素の行ごとには、一本の走査線が対応して設けられ、
画素の列ごとには、一本のデータ線が対応して設けられ、
前記第１画素は、第１薄膜トランジスタ、第１充電コンデンサ、第２充電コンデンサ、第１蓄積コンデンサ及び第１液晶コンデンサを含み、
前記第１薄膜トランジスタのゲートは、対応する走査線に接続され、
前記第１薄膜トランジスタのソースは、対応するデータ線に接続され、
前記第１充電コンデンサの一端は、前記第１薄膜トランジスタのドレインに接続され、
前記第１充電コンデンサの他端は、前記第２充電コンデンサの一端に接続され、前記第２充電コンデンサの他端は、アレイ基板側の共通電極に接続され、
前記第１蓄積コンデンサ及び前記第１液晶コンデンサの一端は、前記第１薄膜トランジスタのドレインに接続され、前記第１蓄積コンデンサの他端は、前記アレイ基板側の共通電極に接続され、前記第１液晶コンデンサの他端は、カラーフィルム基板側の共通電極に接続され、
前記第２画素は、第２薄膜トランジスタ、第２蓄積コンデンサ及び第２液晶コンデンサを含み、
前記第２薄膜トランジスタのゲートは、対応する走査線に接続され、
前記第２薄膜トランジスタのソースは、対応するデータ線に接続され、
前記第２薄膜トランジスタのドレインは、前記第１充電コンデンサの他端に接続され、
前記第２蓄積コンデンサ及び前記第２液晶コンデンサの一端は、前記第２薄膜トランジスタのドレインに接続され、前記第２蓄積コンデンサの他端は、前記アレイ基板側の共通電極に接続され、前記第２液晶コンデンサの他端は、前記カラーフィルム基板側の共通電極に接続される、液晶表示装置。
【請求項１０】
前記第１画素及び前記第２画素は、行単位で交互に設けられる、請求項９に記載の液晶表示装置。
【請求項１１】
前記第１画素及び前記第２画素は、交差するように設けられる、請求項９に記載の液晶表示装置。
【発明の詳細な説明】
【技術分野】
【０００１】
本発明は、表示装置技術分野に関し、特に液晶表示パネル及び装置に関するものである。
【背景技術】
【０００２】
液晶表示装置（Ｌｉｑｕｉｄ  ｃｒｙｓｔａｌ  ｄｉｓｐｌａｙ，ＬＣＤ）は、その軽さや薄さなどの利点から、最も急速に発展しているフラットパネル表示装置の一つになっている。しかしながら、陰極線管表示装置と比較して、薄膜トランジスタ表示装置（Ｔｈｉｎ  Ｆｉｌｍ  Ｔｒａｎｓｉｓｔｏｒ，ＴＦＴ−ＬＣＤ）の視野角が比較的狭いため、視野角に対する要求が厳しいハイエンド表示分野、例えば、航空宇宙や医療などの分野への適用には、大きな制限をもたらす。
【０００３】
ＬＣＤ分野における広視野角技術の急速な発展により、現在、多くの製品の視野角は、それぞれ８５°／８５°の水平視野角及び垂直視野角となり、さらにより大きな視野角に達することができた。ＬＣＤ広視野角技術には、主にマルチドメイン垂直配向（Ｍｕｌｔｉ−ｄｏｍａｉｎ  Ｖｅｒｔｉｃａｌ  Ａｌｉｇｎｍｅｎｔ）技術及び横電界駆動（Ｉｎ  Ｐｌａｎｅ  Ｓｗｉｔｃｈｉｎｇ，ＩＰＳ）技術が含まれている。垂直配向モードの利点は、正面コントラストが高く、通常最大４０００：１以上に達することができる。ＩＰＳ技術は、ＴＦＴアレイ基板上に平行かつ重畳に分布されるように画素電極及び共通電極を形成することにより、水平電界によって液晶分子を回転させる。このため、広視野角が図られる。しかしながら、この場合、コントラストは比較的低く、通常２０００：１以下である。
【０００４】
視野角を拡大させる従来の方法は、主にメイン画素とサブ画素の輝度を異ならせるものである。図１に示すように、従来の液晶表示パネルにおける各画素は、メイン画素領域及びサブ画素領域を含む。メイン画素領域は、第１薄膜トランジスタＴ１、第１蓄積コンデンサＣｓｔ１、第１液晶コンデンサＣｌｃ１、第１コンデンサＣ１及び第２コンデンサＣ２を含む。サブ画素領域は、第２薄膜トランジスタＴ２、第３薄膜トランジスタＴ３、第２蓄積コンデンサＣｓｔ２及び第２液晶コンデンサＣｌｃ２を含む。第１薄膜トランジスタＴ１のゲート及び第２薄膜トランジスタＴ２のゲートは、いずれも走査線Ｇｎに接続され、第１薄膜トランジスタＴ１のソース及び第２薄膜トランジスタＴ２のソースは、データ線Ｄａｔａに接続される。第１蓄積コンデンサＣｓｔ１及び第１液晶コンデンサＣｌｃ１の一端は、第１薄膜トランジスタＴ１のドレインに接続され、第１蓄積コンデンサＣｓｔ１の他端は、アレイ基板側の共通電極に接続され、第１液晶コンデンサＣｌｃ１の他端は、カラーフィルム基板側の共通電極に接続される。第１コンデンサＣ１の一端は、第１薄膜トランジスタＴ１のドレインに接続され、第１コンデンサＣ１の他端は、第２コンデンサＣ２に接続され、第２コンデンサＣ２の他端は、アレイ基板側の共通電極に接続される。
【０００５】
第２蓄積コンデンサＣｓｔ２及び第２液晶コンデンサＣｌｃ２の一端は、第２薄膜トランジスタＴ２のドレインに接続され、第２蓄積コンデンサＣｓｔ２の他端は、アレイ基板側の共通電極に接続され、第２液晶コンデンサＣｌｃ２の他端は、カラーフィルム基板側の共通電極に接続される。第２薄膜トランジスタＴ２のドレインは、第３薄膜トランジスタＴ３のソースに接続される。第３薄膜トランジスタＴ３のドレインは、第１コンデンサＣ１と第２コンデンサＣ２との間のノードに接続され、第３薄膜トランジスタＴ３のゲートは、走査線Ｇｎ＋１に接続される。
【０００６】
図２に示すように、Ｖａ及びＶｂは、それぞれメイン画素領域及びサブ画素領域の電圧を表す。ｔ１〜ｔ２時間帯において、走査線Ｇｎの信号はハイレベルであり、Ｔ１及びＴ２をオンにし、Ｔ３をオフにし、Ｖａ及びＶｂはいずれもハイレベルである。ｔ２時点において、走査線Ｇｎをオンにし、走査線Ｇｎ＋１をオフにし、Ｔ１及びＴ２をオフにし、Ｔ３をオンにし、第２液晶コンデンサＣｌｃ２が放電され、第１コンデンサＣ１の下基板が充電され、Ｖａの電圧が上昇する。すなわち、ＶａはＶｂより大きいため、視野角が拡大される。しかしながら、薄膜トランジスタの数が多いため、開口率及び透過率が低下する。
【０００７】
そこで、従来技術に存在する問題を解決するために、液晶表示パネル及び装置を提供する必要がある。
【発明の概要】
【０００８】
本発明の目的は、視野角を拡大しつつ、開口率及び透過率を向上させることができる液晶表示パネル及び装置を提供することにある。
【０００９】
上記の技術的問題を解決するために、本発明によれば、複数本のデータ線、複数本の走査線及び複数の画素群を含む液晶表示パネルであって、
各画素群は、それぞれ一つの第１画素及び一つの第２画素を有し、
画素の行ごとには、一本の走査線が対応して設けられ、
画素の列ごとには、一本のデータ線が対応して設けられ、
前記第１画素は、第１薄膜トランジスタ、第１充電コンデンサ、第２充電コンデンサ、第１蓄積コンデンサ及び第１液晶コンデンサを含み、
前記第１薄膜トランジスタのゲートは、対応する走査線に接続され、
前記第１薄膜トランジスタのソースは、対応するデータ線に接続され、
前記第１充電コンデンサの一端は、前記第１薄膜トランジスタのドレインに接続され、
前記第１充電コンデンサの他端は、前記第２充電コンデンサの一端に接続され、前記第２充電コンデンサの他端は、アレイ基板側の共通電極に接続され、
前記第１蓄積コンデンサ及び前記第１液晶コンデンサの一端は、前記第１薄膜トランジスタのドレインに接続され、前記第１蓄積コンデンサの他端は、前記アレイ基板側の共通電極に接続され、前記第１液晶コンデンサの他端は、カラーフィルム基板側の共通電極に接続され、
前記第２画素は、第２薄膜トランジスタ、第２蓄積コンデンサ及び第２液晶コンデンサを含み、
前記第２薄膜トランジスタのゲートは、対応する走査線に接続され、
前記第２薄膜トランジスタのソースは、対応するデータ線に接続され、
前記第２薄膜トランジスタのドレインは、前記第１充電コンデンサの他端に接続され、
前記第２蓄積コンデンサ及び前記第２液晶コンデンサの一端は、前記第２薄膜トランジスタのドレインに接続され、前記第２蓄積コンデンサの他端は、前記アレイ基板側の共通電極に接続され、前記第２液晶コンデンサの他端は、前記カラーフィルム基板側の共通電極に接続され、
前記第１画素の輝度は、前記第２画素の輝度よりも大きい液晶表示パネルが提供される。
【００１０】
本発明に係る液晶表示パネルにおいて、前記第１画素及び前記第２画素は、行単位で交互に設けられる。
【００１１】
本発明に係る液晶表示パネルにおいて、前記第１画素及び前記第２画素は、交差するように設けられる。
【００１２】
本発明に係る液晶表示パネルにおいて、前記第１画素は、第２ｋ＋１列の第ｎ行又は第２ｋ列の第ｎ＋１行に位置し、前記第２画素は、第２ｋ＋１列の第ｎ＋１行又は第２ｋ列の第ｎ行に位置し、液晶表示パネルは、Ｎ行の画素を含み、０＜ｎ＜Ｎ、Ｎ≧２、ｋ≧０である。  
【００１３】
本発明に係る液晶表示パネルにおいて、前記液晶表示パネルは、第１領域及び第２領域を含み、前記第１領域における前記第１画素及び前記第２領域における第２画素は、同じ行に位置し、前記第１領域における前記第２画素及び前記第２領域における第１画素は、同じ行に位置し、
前記第１領域に位置する前記第１画素及び前記第１領域に位置する前記第２画素は、行単位で交互に設けられ、前記第２領域に位置する前記第１画素及び前記第２領域に位置する前記第２画素は、行単位で交互に設けられる。
【００１４】
本発明に係る液晶表示パネルにおいて、前記第１領域の面積は、前記第２領域の面積に等しい。
【００１５】
本発明に係る液晶表示パネルにおいて、前記液晶表示パネルは、二つの第１領域と、二つの前記第１領域の間に位置する第２領域と、を含む。
【００１６】
本発明に係る液晶表示パネルにおいて、二つの前記第１領域の面積の合計は、前記第２領域の面積に等しい。
【００１７】
上記の技術的問題を解決するために、本発明によれば、バックライトモジュールと、
複数本のデータ線、複数本の走査線及び複数の画素群を含む液晶表示パネルと、を含む液晶表示装置であって、
各画素群は、それぞれ一つの第１画素及び一つの第２画素を有し、
画素の行ごとには、一本の走査線が対応して設けられ、
画素の列ごとには、一本のデータ線が対応して設けられ、
前記第１画素は、第１薄膜トランジスタ、第１充電コンデンサ、第２充電コンデンサ、第１蓄積コンデンサ及び第１液晶コンデンサを含み、
前記第１薄膜トランジスタのゲートは、対応する走査線に接続され、
前記第１薄膜トランジスタのソースは、対応するデータ線に接続され、
前記第１充電コンデンサの一端は、前記第１薄膜トランジスタのドレインに接続され、
前記第１充電コンデンサの他端は、前記第２充電コンデンサの一端に接続され、前記第２充電コンデンサの他端は、アレイ基板側の共通電極に接続され、
前記第１蓄積コンデンサ及び前記第１液晶コンデンサの一端は、前記第１薄膜トランジスタのドレインに接続され、前記第１蓄積コンデンサの他端は、前記アレイ基板側の共通電極に接続され、前記第１液晶コンデンサの他端は、カラーフィルム基板側の共通電極に接続され、
前記第２画素は、第２薄膜トランジスタ、第２蓄積コンデンサ及び第２液晶コンデンサを含み、
前記第２薄膜トランジスタのゲートは、対応する走査線に接続され、
前記第２薄膜トランジスタのソースは、対応するデータ線に接続され、
前記第２薄膜トランジスタのドレインは、前記第１充電コンデンサの他端に接続され、
前記第２蓄積コンデンサ及び前記第２液晶コンデンサの一端は、前記第２薄膜トランジスタのドレインに接続され、前記第２蓄積コンデンサの他端は、前記アレイ基板側の共通電極に接続され、前記第２液晶コンデンサの他端は、前記カラーフィルム基板側の共通電極に接続される、液晶表示装置が提供される。
【００１８】
本発明に係る液晶表示装置において、前記第１画素及び前記第２画素は、行単位で交互に設けられる。
【００１９】
本発明に係る液晶表示装置において、前記第１画素及び前記第２画素は、交差するように設けられる。
【発明の効果】
【００２７】
本発明に係る液晶表示パネル及び装置によれば、次の画素を充電するときに前の画素を充電し続けることで、隣接する二つの画素の輝度を異ならせ、液晶表示パネルの視野角を拡大させることができる。さらに薄膜トランジスタ及びコンデンサの数が削減され、開口率及び透過率が向上する。
【図面の簡単な説明】
【００２８】
【図１】従来の液晶表示パネルの構造を示す概略図である。
【図２】図１のメイン画素及びサブ画素の電圧波形図である。
【図３】本発明に係る液晶表示パネルの第１構造を示す概略図である。
【図４】本発明に係る液晶表示パネルの画素群の構造を示す概略図である。
【図５】図４に対応する駆動信号の波形図である。
【図６】図４に対応する表示輝度を示す概略図である。
【図７】本発明に係る液晶表示パネルの第２構造を示す概略図である。
【図８】図７に対応する表示輝度を示す概略図である。
【図９】本発明に係る液晶表示パネルの第３構造を示す概略図である。
【図１０】図９に対応する表示輝度を示す概略図である。
【発明を実施するための形態】
【００２９】
下記各実施例の説明は、添付の図面を参照して、本発明が実施できる特定の実施例を例示する。本発明で言及される方向用語、例えば「上」、「下」、「前」、「後」、「左」、「右」、「内」、「外」、「側面」などは、単に図面の方向を示すものである。したがって、使用された方向用語は、本発明を説明及び理解するためのものであり、本発明を限定するものではない。図面では、構造的に類似する要素は同じ参照番号で示されている。
【００３０】
図３〜図６を参照して、図３は、本発明に係る液晶表示パネルの構造を示す概略図である。
【００３１】
本実施例に係る液晶表示パネルは、複数本のデータ線Ｄｎ〜Ｄｎ＋５、複数本の走査線Ｇｎ〜Ｇｎ＋３及び複数の画素群１０を含む。各画素群１０は、二つの画素を含む。これら二つの画素は、互いに隣接して設けられる。複数本の走査線によって定義される画素は、複数行の画素を形成し、複数本のデータ線によって定義される画素は、複数列の画素を形成する。画素の行ごとには、一本の走査線が対応して設けられ、画素の列ごとには、一本のデータ線が対応して設けられる。
【００３２】
図４を参照して、各画素群１０は、第１画素１１及び第２画素１２を含む。前記第１画素１１は、第１薄膜トランジスタＴ１、第１蓄積コンデンサＣＳＴ１、第１液晶コンデンサＣＬＣ１、第１充電コンデンサＣＳ１及び第２充電コンデンサＣＳ２を含む。前記第１薄膜トランジスタＴ１のゲートは、対応する走査線に接続され、前記第１薄膜トランジスタＴ１のソースは、対応するデータ線に接続される。第１蓄積コンデンサＣＳＴ１及び第１液晶コンデンサＣＬＣ１の一端は、第１薄膜トランジスタＴ１のドレインに接続され、第１蓄積コンデンサＣＳＴ１の他端は、アレイ基板側の共通電極に接続され、第１液晶コンデンサＣＬＣ１の他端は、カラーフィルム基板側の共通電極に接続される。前記第１充電コンデンサＣＳ１の一端は、前記第１薄膜トランジスタＴ１のドレインに接続され、前記第１充電コンデンサＣＳ１の他端は、前記第２充電コンデンサＣＳ２の一端に接続され、前記第２充電コンデンサＣＳ２の他端は、アレイ基板側の共通電極に接続される。
【００３３】
前記第２画素１２は、第２薄膜トランジスタＴ２、第２蓄積コンデンサＣＳＴ２及び第２液晶コンデンサＣＬＣ２を含む。前記第２薄膜トランジスタＴ２のゲートは、対応する走査線に接続され、前記第２薄膜トランジスタＴ２のソースは、対応するデータ線に接続される。第２蓄積コンデンサＣＳＴ２及び第２液晶コンデンサＣＬＣ２の一端は、第２薄膜トランジスタＴ２のドレインに接続され、第２蓄積コンデンサＣＳＴ２の他端は、アレイ基板側の共通電極に接続され、第２液晶コンデンサＣＬＣ２の他端は、カラーフィルム基板側の共通電極に接続される。第２薄膜トランジスタＴ２のドレインは、前記第１充電コンデンサＣＳ１の他端にも接続される。具体的に、第２薄膜トランジスタＴ２のドレインは、第１充電コンデンサＣＳ１及び第２充電コンデンサＣＳ２との間のノードに接続される。
【００３４】
第１画素１１及び第２画素１２は、行単位で交互に設けられる。例えば、第１行は第１画素であり、第２行は第２画素であり、第３行は第１画素であり、第４行は第２画素である。第１画素１１及び第２画素１２は、隣接する二つの行に位置する。例えば、前記第１画素が第ｎ行に位置する場合、前記第２画素は、第ｎ＋１行に位置する。ただし、液晶表示パネルは、Ｎ行の画素を含み、０＜ｎ＜Ｎ、Ｎ≧２である。
【００３５】
具体的な駆動プロセスでは、図５に示すように、ｔ２〜ｔ３時間帯において、Ｇｎによって入力される走査信号はハイレベルであり、第１薄膜トランジスタＴ１をオンにするため、第１画素１１の電圧Ｖ１は、データ電圧に等しく、すなわちハイレベルであるが、Ｇｎ＋１によって入力される走査信号はローレベルであり、第２画素１２の電圧Ｖ２はローレベルである。ｔ３〜ｔ４時間帯において、Ｇｎ＋１によって入力される走査信号はハイレベルであり、第２薄膜トランジスタＴ２をオンにし、第２画素１２が充電されるとともに、第１充電コンデンサＣＳ１の下基板が充電され、Ｖ１がさらに上昇する。すなわち、Ｖ１はＶ２より大きいため、第１画素１１の輝度は第２画素１２の輝度より大きく、すなわち視野角が拡大される。ｔ４時点の後、走査線がローレベルであるため、Ｖ１及びＶ２はローレベルである。
【００３６】
図６は、図４に対応する表示輝度を示す。図６に示すように、Ｈは、画素の輝度又は電圧が高いことを示し、Ｌは、画素の輝度又は電圧が低いことを示す。すべての高電位画素が同じ行に位置し、すべての低電位画素が同じ行に位置するように、第１画素及び第２画素が行単位で交互に分布されるため、液晶表示パネルの輝度は、上から下に向かって高、低、高、低である。さらに、このようなパネルの構造が規則的であるため、液晶表示装置の製造プロセスの簡素化が図られる。本実施例に係る液晶表示装置は、隣接する画素間で分圧することにより視野角が拡大される。各行の画素の色は、それぞれ赤、緑、青、赤、緑、青である。
【００３７】
図１の液晶表示装置と比較して、画素ごとに一つの薄膜トランジスタのみを必要とし、画素ごとに三つの薄膜トランジスタを必要としないので、ＴＦＴの数が削減される。また、二つの画素ごとに一組のＣＳ１及びＣＳ２を必要とし、画素ごとに一組のＣＳ１及びＣＳ２が必要としないので、コンデンサの数が削減される。使用される薄膜トランジスタ及びコンデンサの数が少ないため、開口率及び透過率が向上する。
【００３８】
第１画素１１及び第２画素１２の位置を入れ替えてもよい。
【００３９】
図７〜図８を参照して、図７は、本発明に係る液晶表示パネルの第２構造を示す概略図である。本実施例に係る液晶表示パネルは、前記第１画素１１及び前記第２画素１２が交差するように設けられる点で上記の実施例と異なる。一実施形態において、前記第１画素１１は、第２ｋ＋１列（奇数列）の第ｎ行又は第２ｋ列（偶数列）の第ｎ＋１行に位置し、前記第２画素は、第２ｋ＋１列の第ｎ＋１行又は第２ｋ列の第ｎ行に位置する。ただし、液晶表示パネルは、Ｎ行の画素を含み、０＜ｎ＜Ｎ、Ｎ≧２、ｋ≧０である。
【００４０】
図８に示すように、第１画素及び第２画素が交差するように設けられるため、高電位画素及び低電位画素が交差するように分布される。すなわち、隣接する二つの画素の輝度が異なる。また、第１実施例によれば、水平方向における明暗線の発生が回避され、表示効果を向上させることができる。
【００４１】
図９〜図１０を参照して、図９は、本発明に係る液晶表示パネルの第３構造を示す概略図である。本実施例に係る液晶表示パネルは、第１領域２１及び第２領域２２を含む点で第１実施例と異なる。水平方向における明暗線の発生をより良好に防止するために、一実施形態において、前記第１領域２１の面積を前記第２領域２２の面積に等しくする。一実施形態において、第１領域及び第２領域を、液晶表示パネルの左半分の領域及び右半分の領域とする。他の実施形態において、第１領域及び第２領域を、液晶表示パネルの上半分の領域及び下半分の領域とする。
【００４２】
前記第１領域２１における前記第１画素１１及び前記第２領域２２における第２画素１２は、同じ行に位置し、前記第１領域２１における前記第２画素１２及び前記第２領域２２における第１画素１１は、同じ行に位置する。
【００４３】
前記第１領域２１に位置する前記第１画素１１及び前記第１領域２１に位置する前記第２画素１２は、行単位で交互に設けられ、前記第２領域２２に位置する前記第１画素１１及び前記第２領域２２に位置する前記第２画素１２は、行単位で交互に設けられる。
【００４４】
具体的に、前記第１領域２１における前記第１画素が第ｎ行に位置する場合、前記第１領域２１における前記第２画素は、第ｎ＋１行に位置する。
【００４５】
このとき、前記第２領域２２における前記第１画素１１は、第ｎ＋１行に位置し、前記第２領域２２における前記第２画素１２は、第ｎ行に位置する。
【００４６】
図１０に示すように、第１領域及び第２領域における第１画素及び第２画素の位置が異なるため、三つの高電位画素及び三つの低電位画素が同じ行に位置し、すなわち高電位画素及び低電位画素が対称的に分布される。つまり、同じ行における半分の画素の輝度は、他の半分の画素の輝度とは異なる。第１実施例によれば、水平方向における明暗線の発生が回避される。また、画素配列が比較的規則的であるため、製造プロセスの簡素化が図られる。
【００４７】
当該第１領域及び第２領域の数は一つに限定されないことが理解される。他の実施例において、液晶表示パネルは、二つの第１領域及び一つの第２領域を含んでもよい。このとき、第２領域は、二つの第１領域の間に位置し、二つの第１領域は、それぞれ表示パネルの両側に位置する。一実施例において、二つの第１領域の面積の合計は、第２領域の面積に等しくなってもよいし、また、一実施例において、二つの前記第１領域の面積は、第２領域の面積に等しくならなくてもよい。
【００４８】
二つの前記第１領域における前記第１画素及び前記第２領域における第２画素は、同じ行に位置し、二つの前記第１領域における前記第２画素及び前記第２領域における第１画素は、同じ行に位置する。前記第１領域に位置する前記第１画素及び前記第１領域における前記第２画素は、行単位で交互に設けられ、前記第２領域における前記第１画素及び前記第２領域における前記第２画素は、行単位で交互に設けられる。
【００４９】
本発明に係る実施例では、バックライトモジュールと、上記いずれかの液晶表示パネルと、を含む液晶表示装置がさらに提供される。
【００５０】
本発明に係る液晶表示パネル及び装置によれば、次の画素を充電するときに前の画素を充電し続けることで、隣接する二つの画素の輝度を異ならせ、液晶表示パネルの視野角を拡大させることができる。さらに薄膜トランジスタ及びコンデンサの数が削減され、開口率及び透過率が向上する。
【００５１】
以上、本発明を上記の好ましい実施例で開示したが、好ましい実施例は、本発明を限定するものではなく、当業者は、本発明の精神及び範囲から逸脱することなく様々な変更及び修正を行うことができる。本発明の保護範囲は、特許請求の範囲によって定義される範囲に準ずる。
【図１】
0006906066.tif 000002
【図２】
0006906066.tif 000003
【図３】
0006906066.tif 000004
【図４】
0006906066.tif 000005
【図５】
0006906066.tif 000006
【図６】
0006906066.tif 000007
【図７】
0006906066.tif 000008
【図８】
0006906066.tif 000009
【図９】
0006906066.tif 000010
【図１０】
0006906066.tif 000011